(57)【要約】【課題】調製者の安全性を確保しつつ、薬剤ボトルと一体化させた状態における外形を単純化して操作性を向上させることが可能な薬剤カートリッジを提供する。【解決手段】薬剤カートリッジ１０は、外壁部２１、固定部２３、ジョイント部３０、ベント用針部３１と、密閉袋２４と、を備える。外壁部２１は、薬剤ボトルＢを内包する保持空間Ｓ１を内部に形成する。固定部２３は、保持空間Ｓ１内に装填される薬剤ボトルＢを保持する。ジョイント部３０は、薬剤ボトルＢの開口部Ｂ４にシリンジの針部１１ａを誘導する。ベント用針部３１は、薬剤ボトルＢの開口部Ｂ４に装着されたラバーキャップＢ３に挿入される。密閉袋２４は、ベント用針部３１の第１端が薬剤ボトルＢ内に挿入されるとベント用針部３１を介して薬剤ボトルＢ内と連通する密閉空間Ｓ２を内部に有する。【選択図】図１
2014100317.tif 000002
【特許請求の範囲】
【請求項１】
シリンジを用いて調製作業を行う際に、内部に薬剤を貯留した薬剤ボトルと一体化されて使用される薬剤カートリッジであって、
前記薬剤ボトルを内包する保持空間を内部に形成する略筒状の外壁部と、
前記外壁部内の保持空間内に装填される前記薬剤ボトルを保持する固定部と、
前記外壁部に対して着脱可能な状態で設けられており、前記薬剤ボトルが前記固定部に保持された状態において前記薬剤ボトルの開口部に向かって前記シリンジの針側の部分を誘導する誘導部と、
前記誘導部に設けられており、前記固定部に前記薬剤ボトルが保持された状態で、前記薬剤ボトルの開口部に装着された密閉部材に挿入される第１端と、前記第１端と前記第１端から離間した位置に設けられたベント孔とを有しており、前記第１端側と前記ベント孔とを連通させる連通管と、
前記外壁部の内部に設けられているとともに、開口部分が前記ベント孔を覆うように取り付けられており、前記連通管の前記第１端が前記薬剤ボトル内に挿入されると、前記連通管を介して前記薬剤ボトル内と連通する密閉空間を内部に有している密閉袋と、
を備えている薬剤カートリッジ。
【請求項２】
前記密閉袋は、前記保持空間における前記薬剤ボトルの側方から下方にかけて配置されている、
請求項１に記載の薬剤カートリッジ。
【請求項３】
前記密閉袋は、樹脂製のフィルム、あるいはゴム製の素材によって形成されている、
請求項１または２に記載の薬剤カートリッジ。
【請求項４】
前記連通管は、前記誘導部が前記薬剤ボトルの開口に向かって装着される動作に連動して、前記第１端が、前記薬剤ボトルの密閉部材に挿入されていき前記薬剤ボトル内の空間に到達する、
請求項１から３のいずれか１項に記載の薬剤カートリッジ。
【請求項５】
前記ベント孔は、前記連通管における前記第１端とは反対側の第２端に設けられている、
請求項４に記載の薬剤カートリッジ。
【請求項６】
前記連通管は、前記誘導部が前記薬剤ボトルの開口に向かって挿入された状態で、前記第１端とは反対側の第２端を押圧することで、前記薬剤ボトル内と前記外壁部内の密閉空間とを連通させる、
請求項１から３のいずれか１項に記載の薬剤カートリッジ。
【請求項７】
前記ベント孔は、前記連通管における前記第１端と前記第２端との間に設けられている、
請求項６に記載の薬剤カートリッジ。
【請求項８】
略円筒状の前記外壁部の外周面に沿って設けられており、前記外周面から突出する円環状の複数のフランジ部をさらに備えている、
請求項１から７のいずれか１項に記載の薬剤カートリッジ。
【請求項９】
前記外壁部は、透明な素材によって形成されている、
請求項１から８のいずれか１項に記載の薬剤カートリッジ。
【請求項１０】
前記外壁部の一部に設けられており、内部に装填された前記薬剤ボトルを視認可能とする透明な窓部をさらに備えている、
請求項１から８のいずれか１項に記載の薬剤カートリッジ。
【請求項１１】
前記外壁部は、遮光性素材によって形成されている、
請求項１から８のいずれか１項に記載の薬剤カートリッジ。
【請求項１２】
前記外壁部は、断熱性を有している、
請求項１から８のいずれか１項に記載の薬剤カートリッジ。
【請求項１３】
所定の機器を用いて読み取られる薬剤管理情報が記録される記憶部をさらに備えている、
請求項１から１２のいずれか１項に記載の薬剤カートリッジ。
【請求項１４】
前記記憶部は、前記外壁部の底面に貼り付け、あるいは埋め込まれている、
請求項１３に記載の薬剤カートリッジ。
【発明の詳細な説明】
【技術分野】
【０００１】
本発明は、複数の薬剤ボトルから所定量の薬剤を取り出して調製作業を行う際に薬剤ボトルに装着される薬剤カートリッジに関する。
【背景技術】
【０００２】
病院などにおいて薬剤（薬液）を入院患者などに施用する際に、異なる薬剤容器から数種類の薬剤（薬液）を取り出して混合したものを施用する場合がある。このとき、病院等で施用される薬剤（薬液）の中には、人体に有害な抗がん剤等のように、安全性に十分配慮して取り扱うべき薬剤（薬液）も含まれている。
【０００３】
例えば、特許文献１には、ネック部分にコネクタが装着された薬剤ボトルに対して、コネクタを介して、流体輸送装置のカニューレ部分を内部へ挿入し、薬剤ボトル内の薬剤を所定量分だけ流体輸送装置に移し変える流体輸送用アセンブリについて開示されている。
【０００４】
この流体輸送用アセンブリでは、圧力補償手段によって調製作業時でも薬剤ボトル内の圧力を負圧状態のまま維持することで、薬剤ボトルの取り出し口付近から薬剤が外部に飛散する等の問題を回避している。圧力補償手段は、半球状の開口側が外側を向くように、コネクタの外周面の一部に設けられている。
【先行技術文献】
【特許文献】
【０００５】
【特許文献１】米国特許第６７１５５２０号明細書
【発明の概要】
【発明が解決しようとする課題】
【０００６】
しかしながら、上記従来の構成では、以下に示すような問題点を有している。
【０００７】
すなわち、上記公報に開示された流体輸送用アセンブリでは、コネクタに設けられた半球状の圧力補償手段がコネクタの外周面の一部から外方へ突出している。このため、コネクタが接続された状態の薬剤ボトルを扱う際には、薬剤ボトルを回転させていくと特定の方向から見た薬剤ボトルの外形が変化する。
【０００８】
よって、薬剤ボトルから所定量の薬剤を抜いて薬剤の調製作業を実施する際に、薬剤カートリッジが装着された薬剤ボトルの外形が複雑になっているため、薬剤師等の操作性を低下させるおそれがある。
【０００９】
特に、例えば、ロボットアーム等を用いて薬剤ボトルを掴みながら調製作業を行うようなケースでは、薬剤ボトルの向きによって外形が変化するため、薬剤ボトルをロボットアームによって適切に掴めないおそれがあり、薬剤ボトルを適切に操作しにくいという問題がある。
【００１０】
本発明の課題は、調製者の安全性を確保しつつ、薬剤ボトルと一体化させた状態における外形を単純化して操作性を向上させることが可能な薬剤カートリッジを提供することにある。
【課題を解決するための手段】
【００１１】
第１の発明に係る薬剤カートリッジは、シリンジを用いて調製作業を行う際に、内部に薬剤を貯留した薬剤ボトルと一体化されて使用される薬剤カートリッジであって、略筒状の外壁部と、固定部と、誘導部と、連通管と、密閉袋と、を備えている。略筒状の外壁部は、薬剤ボトルを内包する保持空間を内部に形成する。固定部は、外壁部内の保持空間内に装填される薬剤ボトルを保持する。誘導部は、外壁部に対して着脱可能な状態で設けられており、薬剤ボトルが固定部に保持された状態において薬剤ボトルの開口部に向かってシリンジの針側の部分を誘導する。連通管は、誘導部に設けられており、固定部に薬剤ボトルが保持された状態で、薬剤ボトルの開口部に装着された密閉部材に挿入される第１端と、第１端と第１端から離間した位置に設けられたベント孔とを有しており、第１端側とベント孔とを連通させる。密閉袋は、外壁部の内部に設けられているとともに、開口部分がベント孔を覆うように取り付けられており、連通管の第１端が薬剤ボトル内に挿入されると、連通管を介して薬剤ボトル内と連通する密閉空間を内部に有している。
【００１２】
ここでは、例えば、複数の薬剤ボトルのそれぞれからシリンジを用いて所定量の薬剤を取り出して薬剤の調製作業を行う際には、薬剤ボトルに薬剤カートリッジを一体化させて使用される。そして、本薬剤カートリッジでは、薬剤ボトルが外壁部内の保持空間に固定された状態で、連通管の第１端が薬剤ボトルの開口部を塞ぐ密閉部材内へ挿入されることで、連通管における第１端とベント孔とを介して、密閉袋と薬剤ボトル内の空間とを連通させる。
【００１３】
これにより、薬剤カートリッジ内に装填された薬剤ボトルは、保持空間内に固定されているとともに、薬剤ボトルの内部と密閉袋内の密閉空間とを連通管によって連通させることができる。よって、薬剤の調製作業を実施する際にシリンジの針が薬剤ボトルに挿入された場合でも、薬剤ボトル内に貯留されている薬剤が薬剤カートリッジ外に漏れ出すことを防止することができる。
【００１４】
また、本薬剤カートリッジでは、薬剤ボトルを薬剤カートリッジ内部の保持空間に内包しているため、薬剤カートリッジの外径は略筒状に簡素化され、従来の構成のような突出部等によって不規則な外形になることはない。よって、調製作業者の安全性の観点から、例えば、調製作業を自動化してロボットアーム等で薬剤カートリッジ（薬剤ボトル）を掴みながら作業を行う場合でも、ロボットアームによって掴み易い外形を得ることができる。また、調製作業者も薬剤カートリッジを掴み易くなるため、調製作業時における操作性を向上させることができる。
【００１５】
この結果、抗がん剤等の毒性を有する薬剤の調製作業を実施する場合でも、薬剤の漏れ出し、薬剤のエアロゾルの形態となっての漏れ出し、薬剤の気化等による影響を排除して調製作業者の安全性を確保するとともに、薬剤ボトルと一体化させた状態における外形を簡素化して操作性の高い薬剤カートリッジを得ることができる。
【００１６】
第２の発明に係る薬剤カートリッジは、第１の発明に係る薬剤カートリッジであって、密閉袋は、保持空間における薬剤ボトルの側方から下方にかけて配置されている。
【００１７】
ここでは、連通管を介して薬剤ボトル内と連通する密閉空間を有する密閉袋を、薬剤ボトルが装填された保持空間内における薬剤ボトルの側方から下方にかけて配置している。
【００１８】
これにより、薬剤カートリッジ内に形成された薬剤ボトルの保持空間の隙間に、密閉袋を配置することができる。よって、密閉袋は外部に露出しないため、薬剤ボトル内の薬剤が薬剤カートリッジから漏れ出すことを効果的に防止することができる。
【００１９】
第３の発明に係る薬剤カートリッジは、第１または第２の発明に係る薬剤カートリッジであって、密閉袋は、樹脂製のフィルム、あるいはゴム製の素材によって形成されている。
【００２０】
ここでは、密閉袋の素材として、樹脂製のフィルムやゴム等を用いている。
【００２１】
これにより、調製作業を行う際に、シリンジから空気が送り込まれ、連通管を介して薬剤ボトル内と連通している密閉袋内の密閉空間内に空気が入り込んだ場合でも、密閉袋の弾性を利用して保持空間内の隙間において密閉袋を膨らませることができる。
【００２２】
第４の発明に係る薬剤カートリッジは、第１から第３の発明のいずれか１つに係る薬剤カートリッジであって、連通管は、誘導部が薬剤ボトルの開口に向かって装着される動作に連動して、第１端が、薬剤ボトルの密閉部材に挿入されていき薬剤ボトル内の空間に到達する。
【００２３】
ここでは、例えば、連通管が誘導部と一体化しており、誘導部を薬剤ボトルの開口に向かって装着する動作によって、連通管の第１端が薬剤ボトル内の薬剤貯留空間へ到達する。
【００２４】
これにより、外壁部内に薬剤ボトルをセットした後、誘導部を薬剤ボトルの開口に向かって取り付けるだけで、自動的に、連通孔の第１端が薬剤ボトル内に到達した状態を形成することができる。
【００２５】
第５の発明に係る薬剤カートリッジは、第４の発明に係る薬剤カートリッジであって、ベント孔は、連通管における第１端とは反対側の第２端に設けられている。
【００２６】
ここでは、例えば、誘導部と一体化された連通管の構成において、連通管における薬剤ボトルに挿入される側の端部とは反対側の第２端に、ベント孔を設けている。
【００２７】
これにより、ベント孔が設けられている第２端側と薬剤カートリッジの内に装填された密閉袋内の密閉空間とを連通させることで、誘導部が薬剤ボトルの開口に向かって装着される動作に連動して、第１端が薬剤ボトルの密閉部材に挿入された際に、連通管を介して、薬剤ボトルの内部と密閉袋内の密閉空間とを連通させることができる。
【００２８】
第６の発明に係る薬剤カートリッジは、第１から第３の発明のいずれか１つに係る薬剤カートリッジであって、連通管は、誘導部が薬剤ボトルの開口に向かって挿入された状態で、第１端とは反対側の第２端を押圧することで、薬剤ボトル内と密閉袋内の密閉空間とを連通させる。
【００２９】
ここでは、例えば、連通管が誘導部に対して可動可能な状態で設けられており、誘導部を薬剤ボトルの開口に向かって装着した後、連通管の第２端を押圧する動作によって、連通管の第１端が薬剤ボトル内の薬剤貯留空間へ到達する。
【００３０】
これにより、外壁部内に薬剤ボトルをセットした後、誘導部を薬剤ボトルの開口に向かって取り付け、さらに連通管の端部を押圧することで、連通孔の第１端が薬剤ボトル内に到達した状態を形成することができる。
【００３１】
第７の発明に係る薬剤カートリッジは、第６の発明に係る薬剤カートリッジであって、ベント孔は、連通管における第１端と第２端との間に設けられている。
【００３２】
ここでは、例えば、連通管が誘導部に対して可動可能な状態で設けられた連通管の構成において、連通管における薬剤ボトルに挿入される側の端部とは反対側の第２端と第１端との間に、ベント孔を設けている。
【００３３】
これにより、誘導部が薬剤ボトルの開口に向かって装着された後、さらに連通管の第２端側を押圧して連通孔の第１端が薬剤ボトル内に到達した状態において、ベント孔が密閉袋の密閉空間と連通する位置にあることで、連通管を介して、薬剤ボトルの内部と密閉袋内の密閉空間とを連通させることができる。
【００３４】
第８の発明に係る薬剤カートリッジは、第１から第７の発明のいずれか１つに係る薬剤カートリッジであって、略円筒状の外壁部の外周面に沿って設けられており、外周面から突出する円環状の複数のフランジ部をさらに備えている。
【００３５】
ここでは、比較的簡素な外形を有する薬剤カートリッジの外周面から突出する略円環状のフランジ部を複数設けている。
【００３６】
これにより、例えば、人が薬剤調製作業を行う場合でも、フランジ部が設けられていることによって、手になじみ易く扱い易い薬剤カートリッジとすることができる。また、例えば、ロボットアーム等で薬剤カートリッジを扱う場合でも、ロボットアームが掴む位置の上下にフランジ部を設けることで、ロボットアームによって掴まれる把持部が形成され、薬剤カートリッジの操作性をさらに向上させることができる。
【００３７】
第９の発明に係る薬剤カートリッジは、第１から第８の発明のいずれか１つに係る薬剤カートリッジであって、外壁部は、透明な素材によって形成されている。
【００３８】
ここでは、例えば、ＰＣ（ポリカーボネート），ＰＳ（ポリスチレン），ＰＥ（ポリエチレン）等の透明な樹脂（素材）によって、薬剤カートリッジを形成している。
【００３９】
これにより、薬剤カートリッジに内包される薬剤ボトルの種類や薬剤の残量等を容易に視認することができる。
【００４０】
第１０の発明に係る薬剤カートリッジは、第１から第８の発明のいずれか１つに係る薬剤カートリッジであって、外壁部の一部に設けられており、内部に装填された薬剤ボトルを視認可能とする透明な窓部をさらに備えている。
【００４１】
ここでは、例えば、透明な樹脂等で形成された窓部を薬剤カートリッジの一部に設けている。
【００４２】
これにより、薬剤カートリッジに内包される薬剤ボトルの種類や薬剤の残量等を、窓部を介して容易に視認することができる。
【００４３】
第１１の発明に係る薬剤カートリッジは、第１から第８の発明のいずれか１つに係る薬剤カートリッジであって、外壁部は、遮光性素材によって形成されている。
【００４４】
ここでは、遮光性素材を用いて薬剤カートリッジを形成している。
【００４５】
これにより、薬剤カートリッジに内包された薬剤に光が当たることを回避して、光感受性の強い薬剤の変性等を防止することができる。
【００４６】
第１２の発明に係る薬剤カートリッジは、第１から第８の発明のいずれか１つに係る薬剤カートリッジであって、外壁部は、断熱性を有している。
【００４７】
ここでは、断熱性を有する薬剤カートリッジを用いている。
【００４８】
これにより、薬剤カートリッジに内包された薬剤に熱の影響が及ぶことを回避して、熱感受性の強い薬剤の変性等を防止することができる。
【００４９】
第１３の発明に係る薬剤カートリッジは、第１から第１２の発明のいずれか１つに係る薬剤カートリッジであって、所定の機器を用いて読み取られる薬剤管理情報が記録される記憶部をさらに備えている。
【００５０】
ここでは、薬剤管理情報が記録された、例えば、ＩＣタグやバーコード等の記憶部が薬剤カートリッジに取り付けられている。
【００５１】
これにより、外部から読み取り可能な薬剤管理情報を、各薬剤カートリッジごとに関連付けした状態で記憶部に保存させることができる。
【００５２】
第１４の発明に係る薬剤カートリッジは、第１３の発明に係る薬剤カートリッジであって、記録部は、外壁部の底面に貼り付け、あるいは埋め込まれている。
【００５３】
ここでは、上述したＩＣタグ等の記憶部を、薬剤カートリッジの底面に貼り付け、あるいは埋め込んでいる。
【００５４】
これにより、例えば、読取機器が設置された所定の位置へ薬剤カートリッジを置くだけで、自動的に必要な薬剤管理情報を読み取ることができる。
【発明の効果】
【００５５】
本発明に係る薬剤カートリッジによれば、調製者の安全性を確保しつつ、薬剤ボトルと一体化させた状態における外形を単純化して操作性を向上させることができる。
【図面の簡単な説明】
【００５６】
【図１】本発明の一実施形態に係る薬剤カートリッジの構成を示す断面図。
【図２】（ａ）は、図１の薬剤カートリッジに装填される薬剤ボトルの構成を示す側面図。（ｂ）は、そのキャップを示す斜視図。（ｃ）は、そのラバーキャップを示す斜視図。
【図３】図１の薬剤カートリッジに含まれるカートリッジ部の構成を示す断面図。
【図４】図１の薬剤カートリッジに含まれるジョイント部およびこれに接続された密閉袋の構成を示す断面図。
【図５】図１のＡ−Ａ線矢視断面図。
【図６】図２のカートリッジ部内に薬剤ボトルをセットする際の状態を示す斜視図。
【図７】（ａ）、（ｂ）は、本発明のさらに他の実施形態に係る薬剤カートリッジに含まれるジョイント部の構成を示す断面図。（ｃ）は、ジョイント部に含まれるベント用針を示す側面図。
【図８】本発明のさらに他の実施形態に係る薬剤カートリッジの構成を示す断面図。
【発明を実施するための形態】
【００５７】
本発明の一実施形態に係る薬剤カートリッジについて、図１〜図６を用いて説明すれば以下の通りである。
【００５８】
（薬剤カートリッジ１０の構成）
本実施形態に係る薬剤カートリッジ１０は、内部に形成された保持空間Ｓ１内に薬剤ボトルＢがセットされた状態で、シリンジを用いて所望量の薬剤Ｐを取り出して調製作業を行う際に用いられる容器状の部材であって、図１に示すように、カートリッジ部２０と、ジョイント部（誘導部）３０と、を備えている。
【００５９】
カートリッジ部２０は、ジョイント部３０が装着された状態で薬剤ボトルＢを内包する保持空間Ｓ１を内部に形成する。なお、カートリッジ部２０の詳細な構成については、後段にて詳述する。
【００６０】
ジョイント部３０は、カートリッジ部２０の上部に形成された空間内に挿入されるとともに、薬剤Ｐの調製作業を実施する際には、シリンジの針部１１ａを薬剤ボトルＢの内部へと誘導する。なお、ジョイント部３０の詳細な構成については、後段にて詳述する。
【００６１】
（薬剤ボトルＢ）
まず、本実施形態の薬剤カートリッジ１０にセットされ、調製作業が実施される薬剤Ｐを貯留している薬剤ボトルＢの構成について、以下で説明する。
【００６２】
薬剤ボトルＢは、内部に貯留された薬剤Ｐを保管するためのガラス製の容器であって、図２に示すように、薬剤貯留部Ｂ１、キャップＢ２、ラバーキャップ（密閉部材）Ｂ３、および開口部Ｂ４を有している。
【００６３】
薬剤貯留部Ｂ１は、ガラス製の容器部分であって、胴寸が細くなっており薬剤Ｐを出し入れするためのネック部Ｂ１ａが上部に設けられている。また、薬剤貯留部Ｂ１のサイズは、そこに貯留される薬剤Ｐの量や種類によって異なっており、一般的には、１ｍｌ〜１００ｍｌのものがある。
【００６４】
キャップＢ２は、例えば、アルミニウム等の素材によって形成されており、薬剤ボトルＢのネック部Ｂ１ａの先端に、かしめ加工によって取り付けられている。
【００６５】
ラバーキャップＢ３は、ゴム製の蓋部材であって、キャップＢ２によって外周部分を保持された状態で、開口部Ｂ４を覆うように取り付けられている。なお、ラバーキャップＢ３は、後述するシリンジの針部１１ａが貫通するとともに、針部１１ａが抜かれるとその貫通した穴の部分を塞ぐ。
【００６６】
開口部Ｂ４は、薬剤ボトルＢ内に薬剤Ｐを出し入れするための開口であって、薬剤Ｐが内部に貯留された状態ではラバーキャップＢ３によって塞がれている。
【００６７】
なお、薬剤ボトルＢ内に貯留される薬剤Ｐとしては、液体の薬剤に限らず、粉体の薬剤であってもよい。
【００６８】
（シリンジ）
シリンジは、薬剤カートリッジ１０内にセットされた薬剤ボトルＢ内から所望の量の薬剤Ｐを取り出して調製作業を行うための機器であって、針部１１ａ（図１参照）、シリンジ本体、プランジャを有している。
【００６９】
針部（シリンジ側）１１ａは、シリンジの先端に設けられており内部に注入空間を含む管状の部材であって、調製作業時には、図１に示すように、その先端部分が薬剤カートリッジ１０内にセットされた薬剤ボトルＢ内に挿入される。
【００７０】
シリンジ本体は、先端に針部１１ａが装着される筒状部材であって、プランジャの操作によって薬剤ボトルＢ内から取り出された薬剤Ｐを一時的に貯留する。
【００７１】
プランジャは、シリンジ本体の筒状内周面に密着し前後に移動可能な状態で、シリンジの後端側に設けられている。つまり、プランジャを前後に移動させることで、薬剤ボトルＢ内の薬剤Ｐを所望の量だけシリンジ本体内へ取り出すことができる。
【００７２】
（カートリッジ部２０）
カートリッジ部２０は、内部に薬剤ボトルＢをセットするための保持空間Ｓ１を形成する薬剤カートリッジ１０の容器部分であって、図３に示すように、外壁部２１、フランジ部２２，２２、固定部２３、密閉袋２４、ＩＣタグ（記憶部）２５、シール部２６、シール部２７（図６参照）、ヒンジ部２８およびラッチ部２９（図５参照）を有している。
【００７３】
なお、本実施形態では、カートリッジ部２０は、図５に示すように、ヒンジ部２８を介して接続可能な半分の部材に分離可能であって、開いた状態で薬剤ボトルＢがセットされる。
【００７４】
（外壁部２１）
外壁部２１は、内部に薬剤ボトルＢを内包する保持空間Ｓ１を形成するとともに、カートリッジ部２０の外周面を構成する容器状の部分であって、図３に示すように、ベント孔２１ａ、誘導孔２１ｂを有している。
【００７５】
ベント孔２１ａは、図３に示すように、外壁部２１の底面に形成された貫通穴であって、保持空間Ｓ１と外気とを連通させる。
【００７６】
誘導孔２１ｂは、カートリッジ部２０内にセットされた薬剤ボトルＢの開口部Ｂ４の方へジョイント部３０を誘導するための略円筒状の孔部であって、カートリッジ部２０の上端部から保持空間Ｓ１に連通するように形成されている。
【００７７】
また、本実施形態では、外壁部２１は略円筒状の単純な形状を有しており、大きな突出部等が設けられていないため、薬剤カートリッジ１０を軸回転させた場合でも形状の変化はほとんどない。これにより、薬剤カートリッジ１０内にセットされた薬剤ボトルＢ内から所望量の薬剤Ｐを取り出して調製作業を実施する場合でも、人手あるいはロボットアーム等で安定した状態で薬剤カートリッジ１０を掴むことができる。
【００７８】
さらに、本実施形態では、外壁部２１は、ＰＣ（ポリカーボネート），ＰＳ（ポリスチレン），ＰＥ（ポリエチレン）等の透明な樹脂（材料を用いて成形されている。これにより、薬剤カートリッジ１０内に装填された薬剤ボトルＢのラベルや薬剤Ｐの残量等を、容易に視認することができる。
【００７９】
（フランジ部２２）
フランジ部２２，２２は、図１および図３に示すように、略円筒状の外壁部２１の外周面上部に形成された円環状の部材であって、略円筒状の外壁部２１の外周面から径方向外側に向かって突出している。また、フランジ部２２，２２の間には、調製作業を行う人野手、あるいはロボットアーム等によって掴まれる把持部２２ａが形成されている。
【００８０】
把持部２２ａは、フランジ部２２，２２の間に形成された凹部であって、上下に形成されたフランジ部２２，２２によって挟まれているため、安定した状態で薬剤カートリッジ１０を掴むことができる。
【００８１】
（固定部２３）
固定部２３は、図３に示すように、カートリッジ部２０内に薬剤ボトルＢを固定するために、カートリッジ部２０の内周面から保持空間Ｓ１に向かって突出するように形成された円環状の部分である。
【００８２】
また、固定部２３は、図５に示すように、後述するヒンジ部２８を介してカートリッジ部２０を開いた状態で薬剤ボトルＢが側方から装填される。そして、固定部２３は、カートリッジ部２０を閉じた状態で薬剤ボトルＢのネック部Ｂ１ａを外周側から挟み込むようにして保持する。
【００８３】
（密閉袋２４）
密閉袋２４は、調製作業時に、後述するベント用針部３１を介して、薬剤ボトルＢ内と内部に形成される密閉空間Ｓ２とを連通させる袋状の部材であって、樹脂製のフィルムによって形成されている。また、密閉袋２４は、図１および図５に示すように、カートリッジ部２０内に薬剤ボトルＢを保持した状態で、薬剤ボトルＢの側方から下方にかけて、保持空間Ｓ１内の隙間に配置されている。
【００８４】
また、密閉袋２４は、図４に示すように、ベント用針部３１のベント孔３１ｂおよびジョイント部３０のベント孔３２ａを覆うように取り付けられた連結開口部２４ａを有している。
【００８５】
密閉空間Ｓ２は、密閉袋２４内に形成される空間であって、ベント用針部３１を介して、薬剤ボトルＢの内部と連通される。
【００８６】
連結開口部２４ａは、樹脂製のフィルムの一部を溶着させることにより、ジョイント部３０の胴部３２のベント孔３２ａを覆うように、胴部３２の側面に対して取り付けられている。これにより、密閉袋２４は、連結開口部２４ａおよびベント孔３２ａの部分のみ開口した状態となる。
【００８７】
なお、密閉袋２４の体積は、薬剤ボトルＢのサイズに合わせて薬剤ボトルＢの容積＋αの大きさであることが好ましい。一般的に、薬剤ボトルＢの容積は、１〜１００ｍｌであることを考慮すれば、例えば、密閉袋２４の密閉空間Ｓ２は１００ｍｌ＋α程度の大きさであればよい。
【００８８】
（ＩＣタグ２５）
ＩＣタグ（記憶部）２５は、薬剤カートリッジ１０内にセットされた薬剤ボトルＢに貯留されている薬剤Ｐの種類、残量、有効期限等の薬剤管理情報が記憶されている。また、ＩＣタグ２５は、図１および図３に示すように、カートリッジ部２０の底部分にインサート成形されている。
【００８９】
これにより、例えば、調製作業に使用される各種装置に薬剤カートリッジ１０を載置するだけで、各種装置側の載置部分に搭載された読取装置等の外部機器を用いて、容易に薬剤管理情報を読み取ることができる。
【００９０】
（シール部２６，２７）
シール部２６は、図１に示すジョイント部３０が装着された状態において、薬剤カートリッジ１０の内部と外気とを遮断して外壁部２１内に保持空間Ｓ１を形成するために設けられた円環状の弾性部材（図６参照）であって、図３に示すように、誘導孔２１ｂの上端部分に取り付けられている。
【００９１】
シール部２７は、図５および図６に示すように、ヒンジ部２８を介して開閉可能なカートリッジ部２０内に保持空間Ｓ１を形成するために、半分に分離されたカートリッジ部２０の分離面に沿って設けられた弾性部材である。
【００９２】
（ヒンジ部２８およびラッチ部２９）
ヒンジ部２８は、図６に示すように、略円筒状の軸中心を通過する面によって半分に分離されたカートリッジ部２０を開閉するために、外壁部２１の外周面に設けられており、開閉時における回動中心となる。具体的には、ヒンジ部２８は、挿入部２８ａ、被挿入部２８ｂを有している。
【００９３】
挿入部２８ａは、図６に示すように、半分に分離されたカートリッジ部２０の外周面における縦方向に並ぶように配置されており、略円筒状のカートリッジ部２０の軸方向に平行に突出する。
【００９４】
被挿入部２８ｂは、図６に示すように、半分に分離されたカートリッジ部２０の挿入部２８ａが設けられた側とは反対側の外周面における挿入部２８ａに対応する位置に、縦方向に並ぶように配置されている。そして、被挿入部２８ｂは、挿入部２８ａの突出部分が挿入された状態で、カートリッジ部２０を開閉する際に回動中心となる。
【００９５】
なお、挿入部２８ａと被挿入部２８ｂとが分離できないヒンジ部２８を用いてもよい。
【００９６】
ラッチ部２９は、開閉可能なカートリッジ部２０を閉じた状態において、カートリッジ部２０が開かないように、外壁部２１の外周面における対応する位置に設けられた図示しない突起部に係合する。
【００９７】
（ジョイント部３０）
ジョイント部３０は、カートリッジ部２０内に装填された薬剤ボトルＢに対してシリンジの針部１１ａを誘導するために、カートリッジ部２０の誘導孔２１ｂ内に挿入される筒状の部材であって、図４に示すように、ベント用針部（連通管）３１、胴部３２、案内部３３、穿刺部３５ａ，３５ｂ、および受け部３６を有している。
【００９８】
（ベント用針部３１）
ベント用針部３１は、薬剤ボトルＢの内部と密閉袋２４内の密閉空間Ｓ２とを連通させるための連通管であって、胴部３２に対して一体化されている。また、ベント用針部３１は、図４に示すように、第１端３１ａ、ベント孔３１ｂを有している。
【００９９】
第１端３１ａは、図４に示すように、ジョイント部３０における挿入側先端から突出した状態で設けられている。また、第１端３１ａは、先端が尖った形状を有しているとともに、ベント孔３１ｂまで連通する開口を有している。第１端３１ａは、ジョイント部３０がカートリッジ部２０の誘導孔２１ｂ内へ挿入されていく動作に連動して、カートリッジ部２０内にセットされた薬剤ボトルＢのラバーキャップＢ３を貫通して、薬剤ボトルＢの内部まで到達する。
【０１００】
ベント孔３１ｂは、図４に示すように、ベント用針部３１における第１端３１ａとは反対側の端部（第２端）側に設けられており、第１端３１ａに形成された開口と連通している。また、ベント孔３１ｂは、胴部３２の外周面に形成されたベント孔３２ａと隣接配置されているため、第１端３１ａ側と胴部３２の側面との間を連通させることができる。
【０１０１】
（胴部３２）
胴部３２は、図４に示すように、略円筒状の部材であって、ジョイント部３０が略円筒状の誘導孔２１ｂ内に挿入された際に、誘導孔２１ｂの形状に沿って移動する。そして、胴部３２は、図４に示すように、長手方向におけるほぼ中央部付近に、側面の空間とベント用針部３１の第１端３１ａとを連通させるベント孔３２ａを有している。
【０１０２】
ベント孔３２ａは、上述したベント用針部３１のベント孔３１ｂに隣接配置された孔部であって、胴部３２の外周面から、胴部３２に一体化されたベント用針部３１のベント孔３１ｂに向かって形成されている。また、ベント孔３２ａは、上述したように、密閉袋２４の連結開口部２４ａの部分によって覆われるように、溶着によって取り付けられている。
【０１０３】
（案内部３３）
案内部３３は、図４に示すように、略円筒状の胴部３２の軸中心に沿って形成された貫通孔であって、その両端が穿刺部３５ａ，３５ｂによって塞がれている。
【０１０４】
また、案内部３３は、後述する調製作業時においてシリンジの針部１１ａが挿入された際に、穿刺部３５ａ，３５ｂを経由して、針部１１ａを薬剤ボトルＢの開口部Ｂ４まで案内する。
【０１０５】
（穿刺部３５ａ，３５ｂ）
穿刺部３５ａ，３５ｂは、図４に示すように、胴部３２の上端、下端にそれぞれ設けられた弾性部材であって、シリンジの針部１１ａが抜き差しされる。
【０１０６】
また、穿刺部３５ａ，３５ｂは、針部１１ａの穿刺が可能な程度の硬さを有しているとともに、針部１１ａを抜いた後には穿刺口が塞がれる程度の弾性力も有している。
【０１０７】
これにより、シリンジの針部１１ａを抜き差しした場合でも、穿刺口から薬剤Ｐが漏れ出すことを防止することができる。
【０１０８】
（受け部３６）
受け部３６は、図４に示すように、ジョイント部３０における挿入側とは反対側に設けられており、手動操作する際の把持部分となる。
【０１０９】
また、受け部３６は、シリンジの針部１１ａを刺す動作時には、シリンジの穿刺側先端となる針部１１ａのおおよその位置を設定する目安となる開口を有している。
【０１１０】
＜薬剤ボトルＢの装着＞
本実施形態の薬剤カートリッジ１０内に薬剤ボトルＢを装着する際には、図６に示すように、ヒンジ部２８を中心にして半分に分離可能なカートリッジ部２０を開状態とする。
【０１１１】
そして、薬剤ボトルＢのネック部Ｂ１ａが固定部２３に係止されるように、薬剤ボトルＢを側方から装着する。
【０１１２】
次に、図４に示すように、密閉袋２４が取り付けられたジョイント部３０を、誘導孔２１ｂから薬剤ボトルＢの開口部Ｂ４に対して挿入していく。このとき、ジョイント部３０と一体化したベント用針部３１の第１端３１ａが、薬剤ボトルＢのラバーキャップＢ３を突き抜けて薬剤ボトルＢの内部へ到達する。これにより、薬剤ボトルＢ内の空間は、ベント用針部３１および胴部３２のベント孔３２ａを介して、密閉袋２４内の密閉空間Ｓ２に連通するとともに、カートリッジ部２０外へ薬剤等が漏れ出すことを防止することができる。
【０１１３】
次に、薬剤ボトルＢがセットされた側とは反対側のカートリッジ部２０を、ヒンジ部２８を中心にして回動させて閉状態とし、ラッチ部２９を使って閉状態を保持する。
【０１１４】
本実施形態の薬剤カートリッジ１０では、以上のことから、調製作業時に、薬剤Ｐが薬剤カートリッジ１０の外部へ漏れ出すことを防止することができる。よって、調製作業者の安全性を確保しつつ、薬剤ボトルＢを内包する薬剤カートリッジ１０の外形を単純化して操作性を向上させることができる。
【０１１５】
さらに、本実施形態の薬剤カートリッジ１０では、以上のように、密閉袋２４がカートリッジ部２０内に設けられているため、シリンジを用いて所望量の薬剤を薬剤ボトルＢ内から取り出す際に、予め、シリンジ内に取り出す薬剤の量に対応する空気をシリンジ本体内へ入れておく必要がない。
【０１１６】
［他の実施形態］
以上、本発明の一実施形態について説明したが、本発明は上記実施形態に限定されるものではなく、発明の要旨を逸脱しない範囲で種々の変更が可能である。
【０１１７】
（Ａ）
上記実施形態では、薬剤ボトルＢの内部と密閉袋２４内の密閉空間Ｓ２とを連通させる連通管として、ジョイント部３０と一体化されており、ジョイント部３０をセットする動作に連動して薬剤ボトルＢ内へ第１端３１ａが挿入されるベント用針部３１を用いた例を挙げて説明した。しかし、本発明はこれに限定されるものではない。
【０１１８】
例えば、図７（ａ）および図７（ｂ）に示すように、ジョイント部２３０に対して可動可能な状態で取り付けられたベント用針部２３１を用いてもよい。
【０１１９】
この場合には、図７（ａ）に示すように、ベント用針部２３１の第１端２３１ａが胴部２３２に内包された状態のままジョイント部２３０をカートリッジ部に対して装着する。そして、その後、図７（ｂ）に示すように、第２端２３１ｂが胴部２３２の上面に接する位置までベント用針部２３１の第２端２３１ｂ側を押圧していく。
【０１２０】
ここで、ベント用針部２３１の第１端２３１ａと第２端２３１ｂとの間には、図７（ｃ）に示すように、ベント孔２３１ｃが形成されている。ベント孔２３１ｃは、図７（ａ）に示す状態では、胴部２３２の内部に位置しており、図７（ｂ）に示す状態では、胴部２３２内を移動して胴部２３２のベント孔２３２ａと隣接する位置まで移動する。
【０１２１】
これにより、図７（ｂ）に示す状態では、薬剤ボトルＢの内部と密閉袋内の密閉空間とを、第１端２３１ａとベント孔２３１ｃ，２３２ａとを介して連通させることができる。
【０１２２】
（Ｂ）
上記実施形態では、内部にセットされた薬剤Ｐの種類や残量等を視認できるように、ＰＣ（ポリカーボネート）等の透明な樹脂によって外壁部２１を形成した薬剤カートリッジ１０を例として挙げて説明した。しかし、本発明はこれに限定されるものではない。
【０１２３】
例えば、薬剤カートリッジの外壁部が非透明な素材や遮光性素材によって形成されている場合には、薬剤カートリッジ内にセットされた薬剤ボトルの種類や薬剤Ｐの残量等を視認したり、薬剤ボトルに付されたバーコード等の情報を外部機器を用いて読み取ったりすることは難しくなってしまう。
【０１２４】
そこで、図８に示すように、外壁部３２１における薬剤ボトルＢの側面に近接する部分に、内部を視認できる透明な素材によって形成された窓部３２１ａを設けたカートリッジ部３２０を含む薬剤カートリッジ３１０としてもよい。
【０１２５】
（Ｃ）
上記実施形態では、ＰＣやＰＳ、ＰＥ等の透明な樹脂によって外壁部２１を形成した薬剤カートリッジ１０を例として挙げて説明した。しかし、本発明はこれに限定されるものではない。
【０１２６】
例えば、外壁部を構成する素材として、上記以外の樹脂を採用してもよい。
【０１２７】
また、調製作業を実施するために薬剤カートリッジの内部にセットされる薬剤の種類や特性等に応じて、遮光性素材、断熱性素材等を有する樹脂や他の材料によって、外壁部が構成されていてもよい。
【０１２８】
（Ｄ）
上記実施形態では、薬剤管理情報が記憶される記憶部として、カートリッジ部２０の底面にインサート成形によって埋め込まれたＩＣタグ２５を用いた例を挙げて説明した。しかし、本発明はこれに限定されるものではない。
【０１２９】
ＩＣタグ等の記憶部を設ける位置としては、カートリッジ部の底面に限定されるものではなく、例えば、外周面やキャップ部分であってもよい。
【０１３０】
また、記憶部としては、ＩＣタグ以外に、例えば、カートリッジ部の外周面に貼り付けられたバーコード等を用いてもよい。
【０１３１】
この場合には、バーコードリーダによって薬剤管理情報を読み取ることができる。
【０１３２】
（Ｅ）
上記実施形態では、薬剤ボトルＢのネック部Ｂ１ａを薬剤カートリッジ１０側の固定部２３において保持して固定した例を挙げて説明した。しかし、本発明はこれに限定されるものではない。
【０１３３】
例えば、薬剤ボトルの形状が異なる場合には、別の保持方法によって薬剤ボトルを内部に固定してもよい。
【０１３４】
つまり、本発明の薬剤カートリッジは、薬剤ボトルの形状等に関係なく、適宜形状等に変更を加えることで、同様の効果を得ることができる。
【０１３５】
（Ｆ）
上記実施形態では、樹脂製のフィルムによって形成された密閉袋２４を採用した例を挙げて説明した。しかし、本発明はこれに限定されるものではない。
【０１３６】
例えば、密閉袋としては、樹脂製以外にも、ゴム製等、他の素材を用いて形成してもよい。
【０１３７】
ただし、密閉袋の素材としては、薬剤ボトルＢ内と連通した状態で送り込まれる空気等の量をできるだけ多く内包できるようにするために、樹脂製やゴム製等のように、ある程度の弾性を有していることが好ましい。
【産業上の利用可能性】
【０１３８】
本発明の薬剤カートリッジは、調製者の安全性を確保しつつ、薬剤ボトルと一体化させた状態における外形を単純化して操作性を向上させることができるという効果を奏することから、各種薬剤を扱う際に使用されるカートリッジに対して広く適用可能である。
【符号の説明】
【０１３９】
１０      薬剤カートリッジ
１１ａ    針部（シリンジ側）
２０      カートリッジ部
２１      外壁部
２１ａ    ベント孔
２１ｂ    誘導孔
２２      フランジ部
２２ａ    把持部
２３      固定部
２４      密閉袋
２４ａ    連結開口部
２５      ＩＣタグ（記憶部）
２６      シール部
２７      シール部
２８      ヒンジ部
２８ａ    挿入部
２８ｂ    被挿入部
２９      ラッチ部
３０      ジョイント部（誘導部）
３１      ベント用針部（連通管）
３１ａ    第１端
３１ｂ    ベント孔
３２      胴部
３２ａ    ベント孔
３３      案内部
３５ａ，３５ｂ  穿刺部
３６      受け部
２３０    ジョイント部
２３１    ベント用針部（連通管）
２３１ａ  第１端
２３１ｂ  第２端
２３１ｃ  ベント孔
２３２    胴部
２３２ａ  ベント孔
３１０    薬剤カートリッジ
３２０    カートリッジ部
３２１    外壁部
３２１ａ  窓部
Ｂ      薬剤ボトル
Ｂ１    薬剤貯留部
Ｂ１ａ  ネック部
Ｂ２    キャップ
Ｂ３    ラバーキャップ（密閉部材）
Ｂ４    開口部
Ｐ      薬剤
Ｓ１    保持空間
Ｓ２    密閉空間                                                                                
【図１】
2014100317.tif 000003
【図２】
2014100317.tif 000004
【図３】
2014100317.tif 000005
【図４】
2014100317.tif 000006
【図５】
2014100317.tif 000007
【図６】
2014100317.tif 000008
【図７】
2014100317.tif 000009
【図８】
2014100317.tif 000010